(57)【特許請求の範囲】
【請求項１】
シート上に画像形成し、該画像形成された複数枚のシートを束ねて製本化する製本モードを有する画像形成装置であって、
画像形成された複数枚のシートをシート束として積載するシート積載手段と、
前記シート積載手段に積載されたシート束の端面に糊付けする糊付け手段と、
表紙用シートを前記端面が糊付けされたシート束に貼り付け、前記表紙用シートで前記シート束を包む包み手段と、
前記表紙用シートで包まれたシート束を外部へ排出する排出手段と、
製本モードのジョブに対して、前記シート積載手段に積載されたシート束を前記糊付け手段により糊付けし、該糊付けされたシート束を前記包み手段により前記表紙用シートで包み、該表紙用シートで包まれたシート束を前記排出手段へ移送するように制御する制御手段とを備え、
前記制御手段は、製本モードのジョブの実行途中で該ジョブが中止された場合、該ジョブが中止されるまでに前記シート積載手段に積載されたシート束を前記糊付け手段により糊付けし、該糊付けされたシート束を、前記包み手段により表紙用シートで包むことなく、前記排出手段へ移送するように制御することを特徴とする画像形成装置。
【請求項２】
前記包み手段により前記表紙用シートで包まれたシート束に対して所定部位を裁断する裁断手段を備え、
前記制御手段は、製本モードのジョブに対して、前記表紙用シートで包まれたシート束に対して前記裁断手段による裁断を行った後に前記排出手段へ移送するように制御し、
前記制御手段は、製本モードのジョブの実行途中で該ジョブが中止された場合、前記糊付けされたシート束を、前記包み手段により表紙用シートで包むことなくかつ前記裁断手段により裁断を行うことなく、前記排出手段へ移送するように制御することを特徴とする請求項１記載の画像形成装置。
【請求項３】
前記排出手段は、前記表紙用シートで包まれたシート束を外部から取り出し可能に積載する束積載手段を有し、
前記制御手段は、製本モードのジョブの実行途中で該ジョブが中止された場合、前記糊付けされたシート束を、前記束積載手段に積載するように制御することを特徴とする請求項１または２記載の画像形成装置。
【請求項４】
ユーザに対するメッセージを表示する表示手段を備え、
前記制御手段は、製本モードのジョブの実行途中で該ジョブが中止された場合、前記束積載手段に積載された前記糊付けされたシート束を除去することを促すメッセージを前記表示手段に表示するように制御することを特徴とする請求項３記載の画像形成装置。
【請求項５】
シート上に画像形成する画像形成装置と接続され、該画像形成装置により画像形成された複数枚のシートを束ねて製本化するシート処理装置であって、
画像形成された複数枚のシートをシート束として積載するシート積載手段と、
前記シート積載手段に積載されたシート束の端面に糊付けする糊付け手段と、
表紙用シートを前記端面が糊付けされたシート束に貼り付け、前記表紙用シートで前記シート束を包む包み手段と、
前記表紙用シートで包まれたシート束を外部へ排出する排出手段と、
製本モードのジョブに対して、前記シート積載手段に積載されたシート束を前記糊付け手段により糊付けし、該糊付けされたシート束を前記包み手段により前記表紙用シートで包み、該表紙用シートで包まれたシート束を前記排出手段へ移送するように制御する制御手段とを備え、
前記制御手段は、製本モードのジョブの実行途中で該ジョブが中止された場合、該ジョブが中止されるまでに前記シート積載手段に積載されたシート束を前記糊付け手段により糊付けし、該糊付けされたシート束を、前記包み手段により表紙用シートで包むことなく、前記排出手段へ移送するように制御することを特徴とするシート処理装置。
【請求項６】
前記包み手段により前記表紙用シートで包まれたシート束に対して所定部位を裁断する裁断手段を備え、
前記制御手段は、製本モードのジョブに対して、前記表紙用シートで包まれたシート束に対して前記裁断手段による裁断を行った後に前記排出手段へ移送するように制御し、
前記制御手段は、製本モードのジョブの実行途中で該ジョブが中止された場合、前記糊付けされたシート束を、前記包み手段により表紙用シートで包むことなくかつ前記裁断手段により裁断を行うことなく、前記排出手段へ移送するように制御することを特徴とする請求項５記載のシート処理装置。
【請求項７】
前記排出手段は、前記表紙用シートで包まれたシート束を外部から取り出し可能に積載する束積載手段を有し、
前記制御手段は、製本モードのジョブの実行途中で該ジョブが中止された場合、前記糊付けされたシート束を、前記束積載手段に積載するように制御することを特徴とする請求項５または６記載のシート処理装置。
【請求項８】
ユーザに対するメッセージを表示する表示手段を備え、
前記制御手段は、製本モードのジョブの実行途中で該ジョブが中止された場合、前記束積載手段に積載された前記糊付けされたシート束を除去することを促すメッセージを前記表示手段に表示するように制御することを特徴とする請求項７記載のシート処理装置。
【請求項９】
画像形成装置により画像形成された複数枚のシートをシート束として積載するシート積載手段と、前記シート積載手段に積載されたシート束の端面に糊付けする糊付け手段と、表紙用シートを前記端面が糊付けされたシート束に貼り付け、前記表紙用シートで前記シート束を包む包み手段と、前記表紙用シートで包まれたシート束を外部へ排出する排出手段とを備えるシート処理装置の制御方法であって、
製本モードのジョブに対して、前記シート積載手段に積載されたシート束を前記糊付け手段により糊付けし、該糊付けされたシート束を前記包み手段により前記表紙用シートで包み、該表紙用シートで包まれたシート束を前記排出手段へ移送するように制御する第１の制御工程と、
製本モードのジョブの実行途中で該ジョブが中止された場合、該ジョブが中止されるまでに前記シート積載手段に積載されたシート束を前記糊付け手段により糊付けし、該糊付けされたシート束を、前記包み手段により表紙用シートで包むことなく、前記排出手段へ移送するように制御する第２の制御工程と
を有することを特徴とするシート処理装置の制御方法。
【発明の詳細な説明】
【技術分野】
【０００１】
本発明は、シートに対して画像形成し、該画像形成された複数枚のシートを束ねて製本化する製本モードを有する画像形成装置、シート処理装置およびシート処理装置の制御方法に関する。
【背景技術】
【０００２】
従来、画像形成装置の後処理装置として、複数枚のシートからなるシート束の片辺に糊付し、表紙となるシートでくるみ、糊付け面以外のシート束端部を裁断する裁断処理を選択的に施すための糊付け製本装置がある（例えば特許文献１参照）。
【特許文献１】特開２００５−１０４０６３号公報
【発明の開示】
【発明が解決しようとする課題】
【０００３】
従来の糊付け製本装置においては、画像形成装置のストップキーを押すことによるジョブキャンセルなどに応じて画像形成装置のジョブが途中で停止された場合、当該ジョブが停止されるまでは、画像形成装置から画像形成されたシートが順に排出される。そして、排出されたシートは、糊付け製本装置の内部において、束状に順に積載される。このシート束は、ジョブの全てのページを含むものではないすなわち不完成物であるので、ユーザにより上記シート束を糊付け製本装置の内部から取り除く必要がある。
【０００４】
しかしながら、積載されたシート束は、所定の圧力により狭持されているので、ユーザがシート束を取り除く際には、大きな力が必要となり、ひいてはシート束を容易に除去することはできない場合がある。また、シートを取り除く際に、整合されているシート束が崩れ、取り除きに手間取る場合も考えられる。
【０００５】
本発明の目的は、製本モードのジョブの実行途中で該ジョブが中止された場合、装置内に残されたシート束をユーザにより簡単に除去することができる画像形成装置、シート処理装置およびシート処理装置の制御方法を提供することにある。
【課題を解決するための手段】
【０００６】
本発明は、上記目的を達成するため、シートに対して画像形成し、該画像形成された複数枚のシートを束ねて製本化する製本モードを有する画像形成装置であって、画像形成された複数枚のシートをシート束として積載するシート積載手段と、前記シート積載手段に積載されたシート束の端面に糊付けする糊付け手段と、表紙用シートを前記端面が糊付けされたシート束に貼り付け、前記表紙用シートで前記シート束を包む包み手段と、前記表紙用シートで包まれたシート束を外部へ排出する排出手段と、製本モードのジョブに対して、前記シート積載手段に積載されたシート束を前記糊付け手段により糊付けし、該糊付けされたシート束を前記包み手段により前記表紙用シートで包み、該表紙用シートで包まれたシート束を前記排出手段へ移送するように制御する制御手段とを備え、前記制御手段は、製本モードのジョブの実行途中で該ジョブが中止された場合、該ジョブが中止されるまでに前記シート積載手段に積載されたシート束を前記糊付け手段により糊付けし、該糊付けされたシート束を、前記包み手段により表紙用シートで包むことなく、前記排出手段へ移送するように制御することを特徴とする画像形成装置を提供する。
【０００７】
本発明は、上記目的を達成するため、シート上に画像形成する画像形成装置と接続され、該画像形成装置により画像形成された複数枚のシートを束ねて製本化するシート処理装置であって、画像形成された複数枚のシートをシート束として積載するシート積載手段と、前記シート積載手段に積載されたシート束の端面に糊付けする糊付け手段と、表紙用シートを前記端面が糊付けされたシート束に貼り付け、前記表紙用シートで前記シート束を包む包み手段と、前記表紙用シートで包まれたシート束を外部へ排出する排出手段と、製本モードのジョブに対して、前記シート積載手段に積載されたシート束を前記糊付け手段により糊付けし、該糊付けされたシート束を前記包み手段により前記表紙用シートで包み、該表紙用シートで包まれたシート束を前記排出手段へ移送するように制御する制御手段とを備え、前記制御手段は、製本モードのジョブの実行途中で該ジョブが中止された場合、該ジョブが中止されるまでに前記シート積載手段に積載されたシート束を前記糊付け手段により糊付けし、該糊付けされたシート束を、前記包み手段により表紙用シートで包むことなく、前記排出手段へ移送するように制御することを特徴とするシート処理装置を提供する。
【０００８】
本発明は、上記目的を達成するため、画像形成装置により画像形成された複数枚のシートをシート束として積載するシート積載手段と、前記シート積載手段に積載されたシート束の端面に糊付けする糊付け手段と、表紙用シートを前記端面が糊付けされたシート束に貼り付け、前記表紙用シートで前記シート束を包む包み手段と、前記表紙用シートで包まれたシート束を外部へ排出する排出手段とを備えるシート処理装置の制御方法であって、製本モードのジョブに対して、前記シート積載手段に積載されたシート束を前記糊付け手段により糊付けし、該糊付けされたシート束を前記包み手段により前記表紙用シートで包み、該表紙用シートで包まれたシート束を前記排出手段へ移送するように制御する第１の制御工程と、製本モードのジョブの実行途中で該ジョブが中止された場合、該ジョブが中止されるまでに前記シート積載手段に積載されたシート束を前記糊付け手段により糊付けし、該糊付けされたシート束を、前記包み手段により表紙用シートで包むことなく、前記排出手段へ移送するように制御する第２の制御工程とを有することを特徴とするシート処理装置の制御方法を提供する。
【発明の効果】
【００１１】
本発明によれば、製本モードのジョブの実行途中で該ジョブが中止された場合、装置内に残されたシート束をユーザにより簡単に除去することができる。
【発明を実施するための最良の形態】
【００１２】
以下、本発明の実施の形態について図面を参照しながら説明する。
【００１３】
（第１の実施の形態）
図１は本発明の第１の実施の形態に係る画像形成装置の主要部の構成を示す縦断面図である。本実施の形態においては、シート処理装置が接続されている画像形成装置を説明する。このシート処理装置は、糊付け製本装置を含み、糊付け製本装置は、画像形成装置から出力されたシートをシート束として積載するシート積載手段を備え、積載されたシート束に対して、糊付け、裁断などの処理を行うことにより、当該シート束を製本化する。
【００１４】
画像形成装置は、図１に示すように、画像形成装置本体１０、およびシート処理装置を備える。画像形成装置本体１０は、原稿上の画像を読み取るイメージリーダ２００およびイメージリーダ２００により読み取られた画像をシート上に形成するプリンタ３５０を含む。シート処理装置は、糊付け製本装置５００およびフィニッシャ装置４００を含む。
【００１５】
画像形成装置本体１０のイメージリーダ２００には、原稿給送装置１００が搭載されている。原稿給送装置１００は、原稿トレイ上に上向きにセットされた原稿を先頭頁から順に１枚ずつ給紙する。給紙された原稿は、湾曲したパスを介して、プラテンガラス１０２上の流し読み取り位置を通過するように搬送され、そして、外部の排紙トレイ１１２上へ排出される。
【００１６】
上記原稿がプラテンガラス１０２上の流し読み取り位置を左から右へ向けて通過する際に、原稿上の画像は、上記流し読み取り位置に対応する位置に保持されたスキャナユニット１０４により読み取られる。この読み取り方法は、一般的に、原稿流し読みと呼ばれる方法である。
【００１７】
具体的には、原稿が流し読み取り位置を通過する際に、原稿の読取面がスキャナユニット１０４のランプ１０３の光で照明され、当該原稿からの反射光がミラー１０５，１０６，１０７を介してレンズ１０８に導かれる。このレンズ１０８を通過した光は、イメージセンサ１０９の撮像面に結像される。
【００１８】
このように、流し読み取り位置を左から右へ通過するように原稿を搬送することによって、原稿の搬送方向に対して直交する方向を主走査方向とし、搬送方向を副走査方向とする原稿読み取り走査が行われる。即ち、原稿が流し読み取り位置を通過する際に、主走査方向に原稿画像を１ライン毎にイメージセンサ１０９で読み取りながら、原稿を副走査方向に搬送することによって原稿画像全体の読み取りが行われる。光学的に読み取られた画像は、イメージセンサ１０９によって画像データに変換されて出力される。イメージセンサ１０９から出力された画像データは、プリンタ３５０の露光制御部１１０にビデオ信号として入力される。
【００１９】
また、原稿給送装置１００により原稿をプラテンガラス１０２上の所定位置へ搬送して停止させ、この状態でスキャナユニット１０４を左から右へ移動させることにより、原稿を読み取ることも可能である。この読み取り方法は、いわゆる原稿固定読みと呼ばれる方法である。
【００２０】
また、原稿給送装置１００を使用せずに原稿を読み取ることも可能である。この場合、まず、ユーザにより原稿給送装置１００が持ち上げられ、原稿がプラテンガラス１０２上に載置される。そして、スキャナユニット１０４が左から右へ走査される。これにより、原稿の読み取りが行われる。即ち、原稿給送装置１００を使用せずに原稿を読み取るときには、原稿固定読みが行われる。
【００２１】
プリンタ３５０の露光制御部１１０は、イメージリーダ２００から入力されたビデオ信号に基づきレーザ光を変調して出力する。このレーザ光は、ポリゴンミラー１１０ａにより走査されながら感光ドラム１１１上に照射される。感光ドラム１１１には、走査されたレーザ光に応じた静電潜像が形成される。ここで、露光制御部１１０は、原稿固定読み時には、正しい画像（鏡像でない画像）が形成されるようにレーザ光を出力する。この感光ドラム１１１上の静電潜像は、現像器１１３から供給される現像剤によって現像剤像として可視像化される。
【００２２】
感光ドラム１１１上に形成された現像剤像は、上，下カセット１１４，１１５または手差し給紙部１２５から給紙されたシート上に転写部１１６により転写される。ここで、上，下カセット１１４，１１５は、対応するサイズのシートを収納し、それぞれのシートは、ピックアップローラ１２７，１２８によりピックアップされ、給紙ローラ１２９，１３０により給紙される。また、手差し給紙部１２５には、対応するサイズのシートが積載され、このシートが給紙される。上，下カセット１１４，１１５または手差し給紙部１２５から給紙されたシートは、そのシートの先端がレジストローラ１２６に突き当てられるまで搬送され、一旦停止される。そして、シートは、レーザ光の照射開始と同期したタイミングで、レジストローラ１２６により、感光ドラム１１１と転写部１１６との間に搬送される。これにより、感光ドラム１１１上に形成された現像剤像がシート上に転写されることになる。現像剤像が転写されたシートは、定着部１１７に搬送される。定着部１１７においては、シートが熱圧され、現像剤像はシート上に定着される。
【００２３】
定着部１１７を通過したシートは、フラッパ１２１および排出ローラ１１８を経てプリンタ３５０から糊付け製本装置５００へ向けて排出される。ここで、シートの画像形成面が下向きになる状態（フェイスダウン）でシートを排出するときには、定着部１１７を通過したシートは、フラッパ１２１の切換動作により一旦反転パス１２２内に導かれる。そして、シートは、後端がフラッパ１２１を通過した後に、スイッチバックされて、排出ローラ１１８によりプリンタ３５０から排出される。この排紙形態を反転排紙と呼ぶ。この反転排紙は、原稿給送装置１００を使用して読み取った画像を形成するときまたはコンピュータから出力された画像を形成するときなどのように、先頭頁から順に画像形成するときに行われ、その排紙後のシート順序は正しい頁順になる。
【００２４】
また、手差給紙部１２５からＯＨＰシートなどの硬いシートが給紙され、このシートに画像を形成するときには、シートは、反転パス１２２に導かれることなく、画像形成面を上向きにした状態（フェイスアップ）で排出ローラ１１８により排出される。
【００２５】
さらに、シートの両面に画像形成を行う両面記録が設定されている場合、シートは、フラッパ１２１の切換動作により反転パス１２２に導かれ後に、両面搬送パス１２４へ搬送される。そして、両面搬送パス１２４へ導かれたシートは、上述したタイミングで感光ドラム１１１と転写部１１６との間に再度給紙される。
【００２６】
次に、糊付け製本装置５００について図２を参照しながら説明する。図２は図１の糊付け製本装置５００の内部構成を示す縦断面図である。
【００２７】
糊付け製本装置５００は、図２に示すように、製本モードを可能にするために、シート積載部Ａと、糊付け部Ｂと、接着部Ｃと、裁断部Ｄと、製本排出部Ｅとを有する。
【００２８】
シート積載部Ａは、製本モードにおいて、画像形成装置本体１０（プリンタ３５０）から排出されたシートをシート積載トレイ５２０に束状に積載し、シート束５４０を形成する。シート積載部Ａにより形成されたシート束５４０は、糊付け部Ｂに移送される。
【００２９】
糊付け部Ｂにおいては、糊塗布ローラ制御モータ５２２により糊塗布ローラ５２４および糊容器５２５が駆動される。糊塗布ローラ５２４は、糊容器５２５内の糊に浸漬された状態で回転しながら、糊をシート束下側面に塗布する。
【００３０】
接着部Ｃは、糊付けされたシート束５４０を、画像形成装置本体１０から給紙された表紙またはインサータ３００から給紙された表紙と接着し、シート束５４０を表紙で包む（くるむ）。そして、表紙で包まれたシート束５４０は、冊子５７０としてトリムグリッパ５１２に渡される。そして、冊子５７０は、トリムグリッパ５１２により裁断部Ｄに搬送される。
【００３１】
裁断部Ｄにおいては、カッター制御モータ５２７により、冊子５７０の所定部位の裁断を行うように、カッター５２８が水平方向へ移動される。裁断された裁断屑は、裁断屑受け箱５３３の中に落下する。一連の裁断動作が終了すると、裁断屑受け箱５３３は、所定位置へ移動され、裁断屑受け箱５３３内の裁断屑は、裁断屑箱５３２に回収される。裁断部Ｄにおいて裁断が終了した冊子５７０は、裁断部Ｄから製本排出部Ｅへ搬送される。
【００３２】
製本排出部Ｅは、裁断部Ｄからトリムグリッパ５１２により搬送された冊子５７０を受け取るための入り口ローラ５１５を有する。入り口ローラ５１５により受け取られた冊子５７０は、一時的に積載板５２９に積載される。積載板５２９は、積載された冊子５７０を製本支持板５３０に立て掛けるように揺動する。製本支持板５３０に立て掛けられた冊子５７０は、製本排出安定板５３４により安定的に支持される。また、製本支持板５３０は、排出搬送ベルト５３１により左方向へ移動され、これにより、次に搬送される冊子に対する排出スペースが確保される。排出搬送ベルト５３１は、複数のローラ５１６，５１７，５１８により駆動される。
【００３３】
インサータ３００は、糊付け製本部５００の上部に設けられている。インサータ３００は、給紙トレイ３１０上に積載された表紙を給紙ローラ３０１により１枚ずつ給紙する。給紙された表紙は、搬送ローラ対３０３，５０３，５０４により、切換フラッパ５２１に向けて搬送される。
【００３４】
このように、糊付け製本装置５００は、シート束を形成し、当該シート束を製本化する製本モードを行うことが可能であるが、製本モードの他に、製本を行わずに通常の排出モードを選択的に行うことが可能である。
【００３５】
この通常排出モードを可能するために、搬送ローラ対５０５の下流側に、上記切換フラッパ５２１が配置されている。切換フラッパ５２１は、搬送ローラ対５０５により送られたシートをシート積載部Ａのシート積載トレイ５２０または後処理装置４００へ選択的に導くためのフラッパである。
【００３６】
画像形成装置本体１０から排出されたシートＰは、通常モード時は、搬送ローラ対５０５，５１０，５１１，５１３，５１４、および排紙ローラ５１５によってフィニッシャ４００装置へ排出される。フィニッシャ装置４００は、シート束に対する後処理として、束排出処理、綴じ処理、折り処理、製本処理などを施すことができる。
【００３７】
操作表示装置６００は、画像形成に関する各種機能を設定する複数のキー、および設定状態を示す情報を表示するための表示部を有する。操作表示装置６００の詳細については、後述する。
【００３８】
次に、本画像形成装置全体の制御を行うコントローラの構成について図３を参照しながら説明する。図３は図１の画像形成装置全体の制御を行うコントローラの構成を示すブロック図である。
【００３９】
コントローラは、図３に示すように、ＣＰＵ回路部１５０を有し、ＣＰＵ回路部１５０は、ＣＰＵ（図示せず）、ＲＯＭ１５１およびＲＡＭ１５２を内蔵する。ＣＰＵ回路部１５０は、ＲＯＭ１５１に格納されている制御プログラムにより各ブロック１０１，２０１，２０２，２０９，３０４，６０１，５０１を総括的に制御する。ＲＡＭ１５２は、制御データを一時的に保持し、また制御に伴う演算処理の作業領域として用いられる。
【００４０】
原稿給送装置制御部１０１は、原稿給送装置１００をＣＰＵ回路部１５０からの指示に基づき駆動制御する。イメージリーダ制御部２０１は、上述のスキャナユニット１０４、イメージセンサ１０９などに対する駆動制御を行い、イメージセンサ１０９から出力されたアナログ画像信号を画像信号制御部２０２へ転送する。
【００４１】
画像信号制御部２０２は、イメージセンサ１０９からのアナログ画像信号をデジタル信号に変換した後に各種処理を施す。各種処理が施されたデジタル信号は、ビデオ信号に変換されてプリンタ制御部３０４へ出力される。また、画像信号制御部２０２は、コンピュータ２１０から外部Ｉ／Ｆ２０９を介して入力されたデジタル画像信号に各種処理を施す。この各種処理が施されたデジタル画像信号は、ビデオ信号に変換されてプリンタ制御部３０４へ出力される。この画像信号制御部２０２による処理動作は、ＣＰＵ回路部１５０により制御される。プリンタ制御部３０４は、入力されたビデオ信号に基づき上述の露光制御部１１０を駆動する。
【００４２】
操作表示装置制御部６０１は、操作表示装置６００とＣＰＵ回路部１５０との間で情報のやり取りを行う。例えば、操作表示装置制御部６０１は、操作表示装置６００の各キーの操作に対応するキー信号をＣＰＵ回路部１５０へ出力するとともに、ＣＰＵ回路部１５０からの表示すべき情報を操作表示装置６００へ出力し、表示させる。
【００４３】
シート処理装置制御部５０１は、ＣＰＵ回路部１５０からの指示に基づき糊付け製本装置５００およびフィニッシャ装置４００を制御する。
【００４４】
次に、糊付け製本装置５００におけるシートの流れについて図４〜図７を参照しながら説明する。図４〜図７は糊付け製本装置５００におけるシートの流れを模式的に示す図である。
【００４５】
糊付け製本装置５００は、図４に示すように、搬送ローラ対５０５を介して、画像形成装置本体１０から排出されたシートＰを内部に取り込む。この取り込まれたシートＰは、搬送パス５９１へ導かれる。搬送ローラ対５０５により内部に取り込まれたシートＰがシート束の中紙である場合、当該シートＰは切換フラッパ５２１により搬送パス５９２へ導かれ、搬送ローラ対５０６，５０７，５０８，５０９により搬送される。そして、シートＰは、搬送ローラ対５０９からシート積載部Ａのシート積載トレイ５２０へ排出される。中紙となるシートの全てがシート積載トレイ５２０へ排出されると、図５に示すように、中紙のシート束５４０は、糊付けグリッパ５２３によりグリップされる。そして、シート束５４０は、シート積載部Ａから糊付け部Ｂの上方へ移動される。
【００４６】
糊付け部Ｂの上方へ移動されたシート束５４０は、図６に示すように、糊付けグリッパ５２３にグリップされた状態で垂直方向へ向くように回転される。これにより、シート束５４０の背表紙となる側面が糊付け部Ｂと対向するように位置決めされる。その後、詳細は後述するが、糊容器５２５および糊塗布ローラ５２４がシート束に沿って移動され、シート束端部の糊付けが行われる。この間に、表紙Ｐｃが画像形成装置本体１０から排出され、表紙Ｐｃは、搬送ローラ対５０５により糊付け製本装置５００内部に取り込まれる。この取り込まれた表紙は、切換フラッパ５２１により、搬送パス５９１を経て搬送パス５９３へ導かれ、搬送ローラ対５１０，５１１，５１３，５１４により搬送される。搬送パス５９３の搬送ローラ対５１３の下流側には、センサ（図示せず）が設けられている。図７に示すように、上記センサにより、シート束の表紙となる表紙Ｐｃの先端部が検知されてから当該表紙が所定距離搬送されると、表紙の搬送は停止される。
【００４７】
表紙Ｐｃが搬送パス５９３内で停止された時点で、表紙Ｐｃの後端は、切換フラッパ５２１を抜けており、連続してシート束を形成する場合は、表紙Ｐｃが搬送パス５９３にある間でも、切換フラッパ５２１を切り換えることができる。これにより、次のシート束に対する中紙を画像形成装置本体１０から受け取り、搬送パス５９１から搬送パス５９２を経由してシート積載トレイ５２０へ搬送を行うことが可能である。
【００４８】
その後、糊を塗布されたシート束が表紙でくるまれ、下流へ搬送されることになる。これについての詳細は後述する。
【００４９】
上述した表紙を、インサータ３００から給紙することも可能である。すなわち、表紙の給紙元として、画像形成装置本体１０またはインサータ３００のいずれかを選択することができる。
【００５０】
このインサータ３００から表紙を給紙して製本を行う場合のシートの流れについて図８および図９を参照しながら説明する。図８および図９はインサータ３００から表紙を給紙して製本を行う場合のシートの流れを模式的に示す図である。
【００５１】
シート束の中紙に関しては、図４〜図７を用いて説明したように、画像形成装置本体１０から順次シートが取り込まれ、シート積載トレイ５２０上へ束状に積載される。そして、このシート束は、糊付けグリッパ５２３により、糊付け部Ｂへ移送される。インサータ３００から表紙Ｐｃを給紙する場合、図８に示すように、中紙のシート束の糊付け部Ｂへの移送中に、給紙ローラ３０１により給紙トレイ３１０上の最上紙が表紙Ｐｃとして給紙される。給紙された表紙Ｐｃは、図９に示すように、搬送ローラ対３０３，５０３，５０４により搬送され、切換フラッパ５２１により、搬送パス５９４から搬送パス５９３へ導かれる。
【００５２】
次に糊付け製本装置５００の各部の動作について詳細に説明する。
【００５３】
まず、糊付け部Ｂの動作について図１０および図１１を参照しながら説明する。図１０は糊付け部Ｂの構成を示す斜視図である。図１１は糊付け部Ｂにおける糊付け動作を模式的に示す立面図である。
【００５４】
糊付け部Ｂは、詳細には、図１０に示すように、シート束をグリップする糊付けグリッパ５２３、糊を貯蔵する糊容器５２５、シート束に糊を塗布する糊塗布ローラ５２４、および糊塗布ローラ制御モータ５２２を有する。糊塗布ローラ５２４は、糊容器５２５内の糊に浸漬されており、糊塗布ローラ制御モータ５２２の回転により、常に回転されている状態にある。糊容器５２５、糊塗布ローラ５２４、糊塗布ローラ制御モータ５２２は、互いに共働して糊付けユニット５８０を構成する。糊付けユニット５８０は、糊付けグリッパ５２３によって直立状態にグリップされたシート束５４０の下側面長手方向に沿って駆動手段（図示せず）により往復動される。
【００５５】
具体的には、図１１に示すように、糊付けユニット５８０は、糊付け製本装置５００の背面側の初期位置から移動を開始し、糊付け製本装置５００の前面側の所定位置で停止する。このとき、糊付けユニット５８０によるシート束５４０の下側面への糊付けは、行われない。シート束５４０への糊付けは、糊付け製本装置５００の前面側から背面側へ移動する際に行われる。所定位置で停止している糊付けユニット５８０は、シート束５４０の下側面に糊塗布ローラ５２４が当接する位置まで上昇する。そして、糊付けユニット５８０が糊付け製本装置５００の前面側から背面側へ向けて移動される。この際に、糊塗布ローラ５２４は、シート束５４０の下側面と接触しながら回転される。これにより、シート束５４０の下側面には、糊が塗布される。
【００５６】
次に、接着部Ｃの詳細について図１２〜図１９を参照しながら説明する。図１２〜図１９は接着部Ｃの動作状態を模式的に示す縦断面図である。
【００５７】
接着部Ｃには、図１２に示すように、画像形成装置本体１０またはインサータ３００から供給された表紙５５０を受け取り、所定位置まで搬送して停止させる搬送ガイド５６０，５６１が設けられている。接着部Ｃは更に、表紙５５０をシート束５４０の糊塗布面に圧接させる加圧部材５６３と、表紙５５０をシート束にくるむ際に用いられる折り部材５６２，５６４とを有する。搬送ガイド５６０は、搬送ローラ対５１３，５１４の上ローラを支持する上部ガイドと、それぞれの下ローラを支持する下部ガイドとからなる。搬送ガイド５６０の上部ガイドおよび下部ガイドは、それぞれ、対応するローラを支持しながら所定方向へ独立して移動可能である。搬送ガイド５６１は、搬送ローラ対５１０，５１１の上ローラを支持する上部ガイドと、それぞれの下ローラを支持する下部ガイドとからなる。搬送ガイド５６１の上部ガイドおよび下部ガイドは、それぞれ、対応するローラを支持しながら所定方向へ独立して移動可能である。
【００５８】
糊付け部Ｂによるシート束５４０への糊付け動作終了後、シート束５４０をグリップした糊付けグリッパ５２３は、駆動手段（図示せず）によって糊付け部Ｂから接着部Ｃへ向けて下降する。そして、図１２に示すように、糊付けグリッパ５２３によりグリップされたシート束５４０の糊塗布面は、搬送ガイド５６０，５６１によって水平方向に用意された表紙５５０と接触する。
【００５９】
さらに、糊付けグリッパ５２３は、シート束５４０の糊塗布面が加圧部材５６３に押し付けられる位置まで下降し、シート束５４０の糊塗布面と接触した表紙５５０の部位は、加圧部材５６３上に押し当てられる。これにより、表紙５５０の対応する部位は、シート束５４０の糊塗布面に圧接されて接着される。ここで、図１３に示すように、シート束５４０の下降による糊塗布面の圧接を行う前に各搬送ガイド５６０，５６１の上部ガイド（搬送ローラ対５１０，５１１，５１３，５１４を含む）が退避され、シート束５４０との干渉が未然に防止される。
【００６０】
表紙５５０がシート束５４０に接着された後、図１４に示すように、折り部材５６２，５６４、および各搬送ガイド５６０，５６１の下部ガイドは、駆動手段（図示せず）によって加圧部材５６３の上斜め方向に上昇し、図中の破線位置から実線位置まで移動する。この折り部材５６２，５６４の上斜め方向への上昇によって、表紙５５０は、上方に押し上げられ、表紙５５０が糊塗布面の側縁部から湾曲される。その結果、表紙５５０は、シート束５４０を包む（くるむ）ように折り曲げられ、シート束５４０が表紙５５０により包まれた（くるまれた）冊子５７０が得られる（図１４を参照）。この処理は、包み処理（くるみ処理）と呼ばれる。
【００６１】
表紙５５０の包み処理終了後、図１５に示すように、折り部材５６２，５６４、搬送ガイド５６０，ガイド５６１の下部ガイドが駆動手段（図示せず）によって破線位置から実線位置まで退避される。同時に、加圧部材５６３も、駆動手段（図示せず）により水平方向に移動される。この加圧部材５６３の水平移動によって、糊付けグリッパ５２３が下降可能な空間が確保される。
【００６２】
次いで、図１６に示すように、糊付けグリッパ５２３がさらに下降され、これにより、冊子５７０は、各搬送ガイド５６０，５６１の下方まで下降される。そして、冊子５７０は、その下端がトリムユニット受け渡しローラ５６５，５６６に当接する位置まで下降される。
【００６３】
その後、図１７に示すように、冊子５７０をグリップしている糊付けグリッパ５２３は、冊子５７０のグリップを解除する。これと同時に、冊子５７０はトリムユニット受け渡しローラ５６５，５６６によって下方向へ搬送される。トリムユニット受け渡しローラ５６５，５６６は、図１８に示すように、冊子５７０を所定の位置まで搬送すると、冊子５７０の搬送を停止する。そして、トリムグリッパ５１２は、駆動手段（図示せず）によって冊子５７０の表裏両側から押圧するように駆動され、冊子５７０をグリップする。
【００６４】
トリムグリッパ５１２は、冊子５７０を所定位置すなわち裁断部Ｄの位置まで下降させる。このとき、図１９に示すように、水平方向へ移動された加圧部材５６３は、表紙の接着部の圧接を行える位置へ戻される。
【００６５】
次に、裁断部Ｄの動作について図２０〜図２５を参照しながら説明する。図２０〜図２３は裁断部Ｄの動作を模式的に示す縦断面図である。図２４はトリムグリッパ５１２により冊子５７０を回転させて対応する縁部の裁断する様子を模式的に示す図である。図２５は裁断屑を排出する動作を模式的に示す縦断面図である。
【００６６】
上述したように、接着部Ｃにおいて中紙のシート束と表紙が接着された冊子５７０は、トリムグリッパ５１２により裁断部Ｄに移動される（図１９を参照）。裁断部Ｄにおいては、図２０に示すように、トリムグリッパ５１２、カッター５２８、裁断屑受け箱５３３が連動して冊子５７０の各端部の裁断を行う。
【００６７】
まず、図２１に示すように、カッター５２８による裁断を行う前に、冊子５７０の下方に裁断屑受け箱５３３が移動される。次いで、カッター５２８が冊子５７０に対して出没し、カッター５２８は、冊子５７０の一辺に対する裁断を行う。このとき、図２２に示すように、裁断屑は冊子５７０の下方で待ち受けている裁断屑受け箱５３３に収納される。その後、図２３に示すように、カッター５３２は、逆方向へ駆動されて退避位置へ移動する。また、裁断屑受け箱５３３も退避位置へ移動する。
【００６８】
冊子５７０に対する上述した裁断動作は、図２４に示すように、地辺、小口、および天辺のそれぞれに対応する縁部に対して行われる。まず、背表紙端部を下側にした接着動作後の冊子５７０に対して、トリムグリッパ５１２がπ／２（ｒａｄ）回転し、冊子５７０の向きがπ／２（ｒａｄ）回転される。これにより、冊子５７０の地辺が下側へ向き、この地辺の裁断が行われる。
【００６９】
次いで、トリムグリッパ５１２が同一方向へπ／２（ｒａｄ）回転する。これにより、冊子５７０の小口が下を向き、この小口の裁断が行われる。さらに、冊子５７０の天辺が下を向くようにトリムグリッパ５１２がπ／２回転される。そして、冊子５７０の天辺の裁断が行われる。
【００７０】
このようにして、冊子５７０の背表紙部端部以外の裁断が行われると、裁断後の冊子５７０の背表紙部を下方にして冊子５７０を製本排出部Ｅへ搬送するために、トリムグリッパ５１２により冊子５７０がさらにπ／２（ｒａｄ）回転される。
【００７１】
裁断屑受け箱５３３は、裁断動作が行われていないときの退避位置と、裁断動作中の屑受け位置との間を移動する。裁断屑受け箱５３３の退避位置は、裁断屑箱５３２の上方に位置する。また、図２５に示すように、裁断屑受け箱５３３は、開放可能なように構成されている底板部を有する。裁断屑受け箱５３３が退避位置に移動すると、裁断屑受け箱５３３の底板部が開放され、裁断屑受け箱５３３内の裁断屑が裁断屑箱５３２に収納される。
【００７２】
次に、製本排出部Ｅの詳細について図２６〜図２９を参照しながら説明する。図２６〜図２９は製本排出部Ｅの動作を模式的に示す縦断面図である。
【００７３】
製本排出部Ｅにおいては、図２６に示すように、トリムグリッパ５１２にグリップされている冊子５７０が、入り口ローラ５１５により受け取られ、製本排出部Ｅ内部へ搬送される。入り口ローラ５１５により搬送された冊子５７０は、一時的に積載板５２９に積載される。積載板５２９は、図２７に示すように、垂直に起立するように揺動する。これにより、積載板５２９に積載された冊子５７０は、製本支持板５３０に立て掛けるように支持される。
【００７４】
ここで、図２８に示すように、排出搬送ベルト５３１の下方に位置する製本排出安定板５３４が、駆動手段（図示せず）により上方へ移動され、冊子５７０は、製本支持板５３０と製本排出安定板５３４とにより安定的に支持される。その後、図２９に示すように、製本支持板５３０は、排出搬送ベルト５３１により左方向へ移動され、次に搬送される冊子５７１に対する排出スペースが確保される。次いで、次の冊子５７１に対して上述したと同様の動作が行われる。その結果、冊子５７１は、冊子５７０の隣に支持される。
【００７５】
このようにして製本支持板５３０に立て掛けられて支持されている各冊子に対しては、ユーザが装置外部から取り出し可能な位置にある。
【００７６】
次に、操作表示装置６００の詳細について図３０を参照しながら説明する。図３０は図１の画像形成装置の操作表示装置６００の外観を示す図である。
【００７７】
操作表示装置６００には、図３０に示すように、スタートキー６０２、ストップキー６０３、テンキー６０４〜６１２，６１４、ＩＤキー６１３、クリアキー６１５、リセットキー６１６などが設けられている。ここで、スタートキー６０２は画像形成動作を開始するためのキーであり、ストップキー６０３は画像形成動作を中断するためのキーであり、テンキー６０４〜６１２，６１４は置数設定などを行うキーである。また、操作表示装置６００の上部には、液晶表示部６２０が設けられている。液晶表示部６２０の画面には、タッチパネルが貼り付けられており、当該画面上には、ソフトキーが表示可能である。
【００７８】
本実施の形態においては、糊付け製本装置５００による「製本モード」などを含む後処理モードを実行することが可能である。このような処理モードの設定は、操作表示装置６００からの入力操作により行われる。
【００７９】
次に、製本モードの設定について図３１〜図４２を参照しながら説明する。図３１は操作表示装置６００に表示される初期画面を示す図である。図３２は応用モード選択画面を示す図である。図３３は綴じ方向選択画面を示す図である。図３４は表紙給紙段選択画面を示す図である。図３５は中紙給紙段選択画面を示す図である。図３６は仕上がりサイズ選択画面を示す図である。図３７は仕上がりサイズ指定画面を示す図である。図３８は原稿読み込みモード設定画面を示す図である。図３９は原稿給紙装置へ原稿のセットを促す画面を示す図である。図４０はくるみ表紙の原稿読み込みを促す画面を示す図である。図４１は泣かし原稿のセットを促す画面を示す図である。図４２は製本モードの設定処理の手順を示すフローチャートである。図４２のフローチャートで示す手順は、ＣＰＵ回路部１５０により実行される手順である。
【００８０】
操作表示装置６００の液晶表示部６２０には、図３１に示すような初期画面が表示される。この初期画面において、ソフトキーである「応用モード」キーが押下されると、図３２に示すような応用モード選択画面が液晶表示部６２０に表示される。この応用モード選択画面には、選択可能な応用モードの一覧が表示され、この一覧の中から、「製本」のソフトキーが押下されると、図４２に示す製本モードの設定処理が開始される。
【００８１】
まず、成果物の綴じ方向の設定が行われる（ステップＳ１００１）。ここでは、図３３に示すような、成果物の綴じ方向として「右開き」、「左開き」のいずれかを指定するための画面が表示される。「右開き」は本を開いたときに右側から左側へページが増す綴じ方であり、「左開き」は左側から右側へページが増す綴じ方である。この画面上においては、ユーザにより「右開き」、「左開き」のいずれかのソフトキーが押下され、それを確定するために、「次へ」のソフトキーが押下される。これにより、押下されたソフトキーに対応する成果物の綴じ方向が設定される。
【００８２】
次いで、くるみ表紙を給紙する給紙段の設定が行われる（ステップＳ１００２）。ここでは、図３４に示すような、くるみ表紙を給紙する給紙段を指定するための画面が表示される。この画面には、くるみ表紙を給紙する給紙段として、手差し給紙部、給紙カセット、インサータのそれぞれに対応するソフトキーが選択可能に表示される。また、各ソフトキーには、それぞれ給紙可能なシートサイズが付されている。この画面上においては、手差し給紙部、給紙カセットまたはインサータに対応するソフトキーが押下され、それを確定するために「次へ」のソフトキーが押下される。これにより、押下されたソフトキーに対応する給紙段が表紙の給紙段として設定される。
【００８３】
次いで、設定された表紙給紙段がインサータであるか否かの判定が行われる（ステップＳ１００３）。ここで、設定された表紙給紙段がインサータでないと判定された場合、中紙給紙段の設定が行われる（ステップＳ１００４）。この中紙給紙段の設定においては、図３５に示すような、中紙を給紙する給紙段を指定するための画面が表示される。この画面には、中紙を給紙する給紙段として、手差し給紙部、給紙カセット、インサータのそれぞれに対応するソフトキーが選択可能に表示される。また、各ソフトキーには、それぞれ給紙可能なシートサイズが付されている。この画面上においては、手差し給紙部、給紙カセットまたはインサータに対応するソフトキーが押下され、それを確定するために「次へ」のソフトキーが押下される。これにより、押下されたソフトキーに対応する給紙段が中紙の給紙段として設定される。
【００８４】
次いで、仕上がりサイズの設定が行われる（ステップＳ１００５）。ここでは、図３６に示すような、仕上がりサイズを指定するための画面が表示される。この画面には、各仕上がりサイズに対応するソフトキーが選択可能に表示される。この画面においては、規定のサイズの中から裁断後のサイズ（仕上がりサイズ）を選択することができる。また、「詳細設定」のソフトキーを押下して、図３７に示す画面上で、任意の仕上がりサイズを指定することも可能である。
【００８５】
次いで、原稿読み込みモードの設定が行われる（ステップＳ１００６）。ここでは、図３８に示すような画面が表示される。この画面において、くるみ表紙の原稿と中紙の原稿とが分けられている場合は、「表紙モード」のソフトキーが選択される。また、表紙／裏表紙と中紙の原稿とが１つの束になっている場合は、「標準モード」のソフトキーが選択される。
【００８６】
そして、原稿読み込みモードとして「表紙モード」が選択されたか否かの判定が行われる（ステップＳ１００７）。ここで、原稿読み込みモードとして「標準モード」が選択された場合、図３９に示すようなメッセージ画面が表示される（ステップＳ１００８）。このメッセージ画面により、ユーザに対して、原稿を原稿給送装置（ＤＦ）１００へセットすることが促される。そして、原稿読み込みモードを「標準モード」とする製本モードが設定される。以下、原稿読み込みモードを「標準モード」として製本を行うモードを「標準モード」と呼ぶことにする。
【００８７】
上記ステップＳ１００６において、原稿読み込みモードとして「表紙モード」が選択されたと判定された場合、図４０に示すようなメッセージ画面が表示される。このメッセージ画面により、ユーザに対して、くるみ表紙の原稿を原稿給送装置（ＤＦ）１００へセットし、スタートボタンを押下することが促される（ステップＳ１００９）。これに応答して、ユーザにより操作表示装置６００のスタートボタン６０２が押下される。
【００８８】
上記スタートボタン６０２が押下されると、表紙原稿の読み込みが開始される（ステップＳ１０１０）。表紙原稿の読み込みが完了すると、図４１に示すようなメッセージ画面が表示される（ステップＳ１０１１）。このメッセージ画面により、ユーザに対して中紙の原稿を原稿給送装置（ＤＦ）１００へセットすることが促される。そして、原稿読み込みモードを「表紙モード」とする製本モードが設定される。以下、原稿読み込みモードを「表紙モード」として製本を行うモードを「表紙モード」と呼ぶことにする。
【００８９】
上記ステップＳ１００３において給紙段としてインサータが設定されたと判定された場合、中紙の給紙段の設定が行われる（ステップＳ１０１２）。ここでは、図３５に示すような、くるみ表紙で包まれるシート束を給紙する給紙段を指定するための画面が表示される。この画面上においては、手差し給紙部、給紙カセットまたはインサータに対応するソフトキーが押下され、それを確定するために「次へ」のソフトキーが押下される。これにより、押下されたソフトキーに対応する給紙段が中紙の給紙段として設定される。
【００９０】
次いで、仕上がりサイズの設定が行われる（ステップＳ１０１３）。ここでは、図３６に示すような、仕上がりサイズを指定するための画面が表示される。この画面においては、規定のサイズの中から裁断後のサイズ（仕上がりサイズ）を選択することができる。また、「詳細設定」のソフトキーを押下して、図３７に示す画面上で、任意の仕上がりサイズを指定することも可能である。
【００９１】
次いで、図３９に示すようなメッセージ画面が表示される（ステップＳ１０１４）。これにより、ユーザに対して原稿を原稿給送装置（ＤＦ）１００へセットすることが促される。そして、表紙をインサータから給紙する製本モードが設定される。以下、表紙をインサータから給紙する製本モードを「インサートモード」と呼ぶことにする。
【００９２】
次に、原稿のセット方法、すなわち製本モードを行う際の原稿給送装置１００またはインサータ３００にセットする原稿の向きと順番について図４３〜図４５を参照しながら説明する。図４３は標準モード時の原稿の向きと順番を模式的に示す図である。図４４は表紙モード時の原稿の向きと順番を模式的に示す図である。図４５はインサータモード時の原稿の向きと順番を模式的に示す図である。
【００９３】
標準モードにおいては、図４３に示すように、原稿が、その先頭ページＡを最上面とする向きで原稿給送装置１００にセットされる。
【００９４】
表紙モードにおいては、くるみ表紙となる原稿のセットが促された場合、図４４（ａ）に示すように、成果物の表表紙となるページＰＡを下向きとする向きで原稿がセットされる。また、中紙となる原稿のセットが促された場合、図４４（ｂ）に示すように、中紙となる原稿の先頭ページＰＣを最上面とする向きで原稿がセットされる。
【００９５】
インサータモードにおいては、インサータ３００の給紙トレイ３１０に成果物の表表紙となるページＰＡを上向きとする向きで原稿がセットされる。ここで、成果物のとじ方向が「右開き」の場合は、図４５（ａ）に示すように、ページＰＡが成果物の裏表紙となるページＰＨの右側になるように配置される。これに対し、成果物のとじ方向が「左開き」の場合は、図４５（ｂ）に示すように、ページＰＡが成果物の裏表紙となるページＰＨの左側になるように配置される。また、中紙となる原稿のセットが促された場合、図４５（ｃ）に示すように、中紙となる原稿の先頭ページＰＣを最上面とする向きで原稿がセットされる。
【００９６】
次に、画像形成装置本体１０から糊付け製本装置５００へ排出されるシートの画像形成面の位置（画像形成面付け）について示す図４６および図４７を参照しながら説明する。図４６（ａ）は標準モードまたは表紙モードで、成果物のとじ方向が「右開き」の場合における画像形成装置本体１０からのシートの排出順番を模式的に示す図である。図４６（ｂ）は標準モードまたは表紙モードで、成果物のとじ方向が「左開き」の場合における画像形成装置本体１０からのシートの排出順番を模式的に示す図である。図４６（ｃ）はインサータモードで、成果物のとじ方向が「右開き」の場合における画像形成装置本体１０からのシートの排出順番を模式的に示す図である。図４６（ｄ）はインサータモードで、成果物のとじ方向が「左開き」の場合における画像形成装置本体１０からのシートの排出順番を模式的に示す図である。図４７（ａ）は図４６（ａ）のシート排出順番に対して製本化された右開きの冊子を模式的に示す図である。図４７（ｂ）は図４６（ｂ）のシート排出順番に対して製本化された左開きの冊子を模式的に示す図である。
【００９７】
図４３に示された標準モードまたは図４４に示された表紙モードで原稿がセットされ、成果物のとじ方向が「右開き」に設定された場合は、図４６（ａ）に示す順番（１）→（３）で、画像形成装置本体１０から糊付け製本装置５００へシートが排出される。そして、糊付け製本装置５００により、図４７（ａ）に示すように、製本化された右開きの冊子が得られる。また、成果物のとじ方向が「左開き」の場合、図４６（ｂ）に示す順番（１）→（３）で画像形成装置本体１０から糊付け製本装置５００へシートが排出される。そして、図４７（ｂ）に示すように、製本化された左開きの冊子が得られる。
【００９８】
ここで、表紙モードにおいては、ページＰＦが図４４で示すように最後に読み込まれる原稿上に位置し、さらにページＰＦは図４６（ａ）で示すように最初に画像形成装置本体１０から排出されるシート上に位置する。そのため、表紙モードにおいて成果物のとじ方向が「右開き」の場合は、セットされる原稿を最後まで読み込んだ後に画像形成を開始する必要がある。
【００９９】
図４５に示すインサータモードで、成果物のとじ方向が「右開き」の場合は、図４６（ｃ）に示す順番（１）→（２）で画像形成装置本体１０からシートが排出される。これに対し、「左開き」の場合は、図４６（ｄ）に示す順番（１）→（２）で画像形成装置本体１０からシートが排出される。
【０１００】
次に、製本モードのジョブが途中でキャンセルされた場合の積載トレイ５２０に積載されたシート束の排出方法について図４８〜図５３を参照しながら説明する。図４８および図４９は天糊製本処理時における糊付け部Ｂの動作を模式的に示す図である。図５０は天糊製本処理時における接着部Ｃの動作を模式的に示す図である。図５１および図５２は糊製本処理時における製本排出部Ｅの動作を模式的に示す図である。図５３は製本モードの処理手順を示すフローチャートである。ここで、図５３のフローチャートで示す手順は、ＣＰＵ回路部１５０の制御下において、シート処理装置制御部５０１により、実行される。
【０１０１】
製本モードのジョブが開始されると、図５３に示すように、画像形成装置１０から排出されたシートが糊付け製本装置５００内へ取り込まれ、取り込まれたシートはシート積載部Ａに積載される（ステップＳ２００１）。次いで、操作表示装置６００のストップキー６０３の押下などによりジョブがキャンセルされたか否かの判定が行われる（ステップＳ２００２）。ここで、ジョブのキャンセルが発生していない場合、表紙以外の全てのシートがシート積載部Ａに積載されたか否かの判定が行われる（ステップＳ２００３）。そして、表紙以外の全てのシートがシート積載部Ａに積載された場合、画像形成装置本体１０から排出された表紙が糊付け製本装置５００内へ取り込まれる（ステップＳ２００４）。次いで、上述した製本処理が行われる（ステップＳ２００５）。
【０１０２】
上記ステップＳ２００２においてジョブがキャンセルされたと判定された場合、天糊製本処理が行われる（ステップＳ２００６）。この天糊製本処理においては、ジョブがキャンセルされた時点までの画像形成されたシートは、シート積載部Ａに積載される。このシート積載部Ａに積載されたシート束は糊付け部Ｂで糊付けされ、接着部Ｃへ移送される。そして、接着部Ｃにおいては、シート束に表紙が接着されることなく、シート束が排出される。
【０１０３】
糊付け部Ｂにおいて、糊付けユニット５８０は、上述したように、糊付けグリッパ５２３によって直立状態に狭持されたシート束５４０の下側面長手方向に沿って移動する。これにより、糊塗布ローラ５２４がシート束５４０の下側面に糊が塗布される。
【０１０４】
天糊製本処理においては、くるみ処理が行われないため、シート束側面に塗布された糊が乾燥するまで、シート束は、所定時間、糊付けグリッパ５２３によって狭持された状態に保持される。所定時間経過後、糊付けグリッパ５２３が下降する。そして、冊子５７０は、図４８に示すように、搬送ガイド５６０および搬送ガイド５６１の位置を経て、その下端がトリムユニット受け渡しローラ５６５、５６６に当接する位置まで下降される。
【０１０５】
その後、図４９に示すように、糊付けグリッパ５２３が冊子５７０の狭持を解除すると同時に、この冊子５７０は、トリムユニット受け渡しローラ５６５，５６６によって下方向に搬送される。
【０１０６】
冊子５７０は、トリムユニット受け渡しローラ５６５，５６６によって所定位置まで搬送されると、当該所定位置に停止される。次いで、図５０に示すように、冊子５７０は、トリムグリッパ５１２により狭持される。そして、冊子５７０は、トリムグリッパ５１２により、裁断部Ｄ直下にある製本排出部Ｅの入り口ローラ５１５へ向けて搬送される。
【０１０７】
次いで、図５１に示すように、製本排出部Ｅの入り口ローラ５１５により、冊子５７０の搬送が行われる。トリムグリッパ５１２は、冊子５７０の狭持を解除し、接着部Ｃの所定位置へ戻る。冊子５７０は、図５１に示すように、入り口ローラ５１５により、製本積載板５２９に積載される。その後、図５２に示すように、積載板５２９は、垂直に起立するように揺動し、積載板５２９に積載された冊子５７０は、製本支持板５３０に立て掛けるように支持される。この際、製本排出安定板５３４が上方へ移動され、冊子５７０は、製本支持板５３０と製本排出安定板５３４とにより安定的に支持される。その後、製本支持板５３０は、排出搬送ベルト５３１により左方向へ移動され、次に搬送される冊子に対する排出スペースが確保される。
【０１０８】
このように、本実施の形態によれば、製本モードのジョブの実行途中で該ジョブが中止された場合、糊付け製本装置５００内に残されたシート束が糊付けされ、製本排出部Ｅへ搬送されるので、当該シート束をユーザにより簡単に除去することができる。また、上記シート束（冊子）は糊付けされているので、シート束が各シートにばらばらに分離されることはなく、除去する際に余分な手間が掛からない。
【０１０９】
（第２の実施の形態）
次に、本発明の第２の実施の形態について図５４を参照しながら説明する。図５４は本発明の第２の実施の形態に係る画像形成装置における天糊製本のスタックオーバーを通知するメッセージ画面の一例を示す図である。
【０１１０】
天糊製本された冊子は、表紙で包まれずにかつ圧接されていないので、糊付けしたシート束側面部分は、平坦な形状になっていない。その結果、天糊製本された冊子が製本排出部Ｅに積載された場合、その積載状態が不安定になる。これを回避するために、天糊製本された冊子が製本排出部Ｅに積載された場合、製本排出部Ｅがスタックオーバーの状態にあると見なして、画像形成装置において新たなジョブの投入が禁止される。また、図５４に示すように、ユーザに対して冊子を取り除くことを促すメッセージが液晶表示部６２０に表示される。そして、ユーザにより製本排出部Ｅから冊子が取り除かれると、新しいジョブの投入を可能にするために、ジョブの投入禁止が解除される。
【０１１１】
本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１１２】
この場合、記憶媒体から読み出されたプログラムコード自体が前述した実施の形態の機能を実現することになり、そのプログラムコードを記憶した記憶媒体は本発明を構成することになる。
【０１１３】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードを、ネットワークを介してダウンロードしてもよい。
【０１１４】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１１５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【０１１６】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることはいうまでもない。
【０１１７】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【０１１８】
上記実施の形態では、印刷方式として電子写真方式の場合を例に挙げたが、本発明は、電子写真方式に限定されるものではなく、インクジェット方式、熱転写方式、感熱方式、静電方式、放電破壊方式など各種印刷方式に適用することができる。
【０１１９】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【０１２０】
【図１】本発明の第１の実施の形態に係るシート処理装置としての糊付け製本装置が接続されている画像形成装置の主要部の構成を示す縦断面図である。
【図２】図１の糊付け製本装置５００の内部構成を示す縦断面図である。
【図３】図１の画像形成装置全体の制御を行うコントローラの構成を示すブロック図である。
【図４】糊付け製本装置５００におけるシートの流れを模式的に示す図である。
【図５】糊付け製本装置５００におけるシートの流れを模式的に示す図である。
【図６】糊付け製本装置５００におけるシートの流れを模式的に示す図である。
【図７】糊付け製本装置５００におけるシートの流れを模式的に示す図である。
【図８】インサータ３００から表紙を給紙して製本を行う場合のシートの流れを模式的に示す図である。
【図９】インサータ３００から表紙を給紙して製本を行う場合のシートの流れを模式的に示す図である。
【図１０】糊付け部Ｂの構成を示す斜視図である。
【図１１】糊付け部Ｂにおける糊付け動作を模式的に示す立面図である。
【図１２】接着部Ｃの動作状態を模式的に示す縦断面図である。
【図１３】接着部Ｃの動作状態を模式的に示す縦断面図である。
【図１４】接着部Ｃの動作状態を模式的に示す縦断面図である。
【図１５】接着部Ｃの動作状態を模式的に示す縦断面図である。
【図１６】接着部Ｃの動作状態を模式的に示す縦断面図である。
【図１７】接着部Ｃの動作状態を模式的に示す縦断面図である。
【図１８】接着部Ｃの動作状態を模式的に示す縦断面図である。
【図１９】接着部Ｃの動作状態を模式的に示す縦断面図である。
【図２０】裁断部Ｄの動作を模式的に示す縦断面図である。
【図２１】裁断部Ｄの動作を模式的に示す縦断面図である。
【図２２】裁断部Ｄの動作を模式的に示す縦断面図である。
【図２３】裁断部Ｄの動作を模式的に示す縦断面図である。
【図２４】トリムグリッパ５１２により冊子５７０を回転させて対応する縁部の裁断する様子を模式的に示す図である。
【図２５】裁断屑を排出する動作を模式的に示す縦断面図である。
【図２６】製本排出部Ｅの動作を模式的に示す縦断面図である。
【図２７】製本排出部Ｅの動作を模式的に示す縦断面図である。
【図２８】製本排出部Ｅの動作を模式的に示す縦断面図である。
【図２９】製本排出部Ｅの動作を模式的に示す縦断面図である。
【図３０】図１の画像形成装置の操作表示装置６００の外観を示す図である。
【図３１】操作表示装置６００に表示される初期画面を示す図である。
【図３２】応用モード選択画面を示す図である。
【図３３】綴じ方向選択画面を示す図である。
【図３４】表紙給紙段選択画面を示す図である。
【図３５】中紙給紙段選択画面を示す図である。
【図３６】仕上がりサイズ選択画面を示す図である。
【図３７】仕上がりサイズ指定画面を示す図である。
【図３８】原稿読み込みモード設定画面を示す図である。
【図３９】原稿給紙装置へ原稿のセットを促す画面を示す図である。
【図４０】くるみ表紙の原稿読み込みを促す画面を示す図である。
【図４１】中紙原稿のセットを促す画面を示す図である。
【図４２】製本モードの設定処理の手順を示すフローチャートである。
【図４３】標準モード時の原稿の向きと順番を模式的に示す図である。
【図４４】表紙モード時の原稿の向きと順番を模式的に示す図である。
【図４５】インサータモード時の原稿の向きと順番を模式的に示す図である。
【図４６】（ａ）は標準モードまたは表紙モードで、成果物のとじ方向が「右開き」の場合における画像形成装置本体１０からのシートの排出順番を模式的に示す図である。（ｂ）は標準モードまたは表紙モードで、成果物のとじ方向が「左開き」の場合における画像形成装置本体１０からのシートの排出順番を模式的に示す図である。（ｃ）はインサータモードで、成果物のとじ方向が「右開き」の場合における画像形成装置本体１０からのシートの排出順番を模式的に示す図である。（ｄ）はインサータモードで、成果物のとじ方向が「左開き」の場合における画像形成装置本体１０からのシートの排出順番を模式的に示す図である。
【図４７】（ａ）は図４６（ａ）のシート排出順番に対して製本化された右開きの冊子を模式的に示す図である。（ｂ）は図４６（ｂ）のシート排出順番に対して製本化された左開きの冊子を模式的に示す図である。
【図４８】天糊製本処理時における糊付け部Ｂの動作を模式的に示す図である。
【図４９】天糊製本処理時における糊付け部Ｂの動作を模式的に示す図である。
【図５０】天糊製本処理時における接着部Ｃの動作を模式的に示す図である。
【図５１】糊製本処理時における製本排出部Ｅの動作を模式的に示す図である。
【図５２】糊製本処理時における製本排出部Ｅの動作を模式的に示す図である。
【図５３】製本モードの処理手順を示すフローチャートである。
【図５４】本発明の第２の実施の形態に係る画像形成装置における天糊製本のスタックオーバーを通知するメッセージ画面の一例を示す図である。
【符号の説明】
【０１２１】
１０  画像形成装置本体
１００  原稿給送装置
１５０  ＣＰＵ回路部
２００  イメージリーダ
３００  インサータ
３５０  プリンタ
４００  フィニッシャ装置
５００  糊付け製本装置
５０１  シート処理装置制御部
５１２  トリムグリッパ
５２０  シート積載トレイ
５２２  糊付けローラ制御モータ
５２３  糊付けグリッパ
５２４  糊付けローラ
５２５  糊容器
５２７  カッター制御モータ
５２８  カッター
５２９  積載板
５３０  製本支持板
５３２  裁断屑箱
５３３  裁断屑受け箱
５３４  製本排出安定板
６００  操作表示装置
【図１】
0004402027.tif 000002
【図２】
0004402027.tif 000003
【図３】
0004402027.tif 000004
【図４】
0004402027.tif 000005
【図５】
0004402027.tif 000006
【図６】
0004402027.tif 000007
【図７】
0004402027.tif 000008
【図８】
0004402027.tif 000009
【図９】
0004402027.tif 000010
【図１０】
0004402027.tif 000011
【図１１】
0004402027.tif 000012
【図１２】
0004402027.tif 000013
【図１３】
0004402027.tif 000014
【図１４】
0004402027.tif 000015
【図１５】
0004402027.tif 000016
【図１６】
0004402027.tif 000017
【図１７】
0004402027.tif 000018
【図１８】
0004402027.tif 000019
【図１９】
0004402027.tif 000020
【図２０】
0004402027.tif 000021
【図２１】
0004402027.tif 000022
【図２２】
0004402027.tif 000023
【図２３】
0004402027.tif 000024
【図２４】
0004402027.tif 000025
【図２５】
0004402027.tif 000026
【図２６】
0004402027.tif 000027
【図２７】
0004402027.tif 000028
【図２８】
0004402027.tif 000029
【図２９】
0004402027.tif 000030
【図３０】
0004402027.tif 000031
【図３１】
0004402027.tif 000032
【図３２】
0004402027.tif 000033
【図３３】
0004402027.tif 000034
【図３４】
0004402027.tif 000035
【図３５】
0004402027.tif 000036
【図３６】
0004402027.tif 000037
【図３７】
0004402027.tif 000038
【図３８】
0004402027.tif 000039
【図３９】
0004402027.tif 000040
【図４０】
0004402027.tif 000041
【図４１】
0004402027.tif 000042
【図４２】
0004402027.tif 000043
【図４３】
0004402027.tif 000044
【図４４】
0004402027.tif 000045
【図４５】
0004402027.tif 000046
【図４６】
0004402027.tif 000047
【図４７】
0004402027.tif 000048
【図４８】
0004402027.tif 000049
【図４９】
0004402027.tif 000050
【図５０】
0004402027.tif 000051
【図５１】
0004402027.tif 000052
【図５２】
0004402027.tif 000053
【図５３】
0004402027.tif 000054
【図５４】
0004402027.tif 000055